(57)【特許請求の範囲】
【請求項１】
顧客の希望によりカラオケ曲の演奏を行なうカラオケ装置において、
顧客情報を記憶する顧客情報記憶手段と、
新たに入力した新曲データから新曲案内を作成する案内作成手段と、
新曲データを入力したとき、前記顧客情報記憶手段が記憶する顧客に前記案内作成手段が作成した新曲案内を送信する案内送信手段とを備えたことを特徴とするカラオケ装置。
【請求項２】
前記案内送信手段は、前記顧客情報記憶手段が記憶する顧客情報に送信停止情報を入力してあるとき、該顧客には新曲案内を送信しない案内送信停止手段を包含することを特徴とする請求項１記載のカラオケ装置。
【請求項３】
前記顧客情報記憶手段が記憶する顧客情報が、顧客のＦＡＸ番号またはインターネット等の通信ネットワークのメールアドレスであり、前記案内送信手段の送信方法がＦＡＸ送信またはメール送信であることを特徴とする請求項１記載のカラオケ装置。
【請求項４】
前記顧客情報記憶手段が記憶する顧客情報が、顧客の希望するカラオケ曲のジャンル情報を含み、入力した新曲データが該ジャンルの曲であるときに限り前記案内送信手段が新曲案内を送信することを特徴とする請求項１記載のカラオケ装置。
【請求項５】
前記カラオケ装置がカラオケ通信センターと通信回線で接続されて定期的に新曲データを配信される通信カラオケ装置であることを特徴とする請求項１記載のカラオケ装置。
【発明の詳細な説明】
【０００１】
【発明の属する技術分野】
本発明は、顧客の希望にしたがってカラオケ曲の演奏を行なうカラオケ装置に関し、特に、新曲データが入力されたときに、自動的に顧客に新曲案内を送信することが可能なカラオケ装置に関するものである。
【０００２】
【従来の技術】
近年、カラオケ産業の発展はめざましいものがある。通信カラオケが家庭でも楽しめる装置が開発され、又、カラオケも歌える店等が多種多数存在するようになった。一方、カラオケボックス等のカラオケ専門店でも、その店独自の特徴を打ち出すなど、顧客獲得のための努力を続けている。
【０００３】
一般にカラオケ店では、かなりの頻度で新曲が入力される。通信カラオケであれば配信センターより、通信回線を介して新曲データが配信されるし、通信カラオケでない場合も宅配等により新曲ＬＤを入手することにより、新曲データが入力される。新曲が入ったことはカラオケ店にとってセールスポイントとなるので、できるだけ早く利用客に知らせたいものである。
【０００４】
従来のカラオケ店では、新曲情報は一般に、通信カラオケであればカラオケ装置が曲を演奏していない間に表示画面に新曲情報として表示する方法を用いている。又、通信カラオケでない場合も、選曲早見本の新曲用ページ等に分かりやすく表示する、あるいは、店内の目立つ位置にポスター等により表示する等の方法を用いて利用客に知らせている。
【０００５】
【発明が解決しようとする課題】
しかしながら、従来のカラオケ装置における新曲情報は来店した利用客に知らせることしか考えられていない。すなわち、利用客はカラオケ店に来て初めて、入力された新曲を知ることができるものである。一方、利用客の立場では、多数あるカラオケ店のいずれに行くかを考える際に、自分の歌いたい新曲が入力されているかどうかが知りたい場合がある。しかし、従来のカラオケ装置では、カラオケ店に直接問い合わせるか、実際にカラオケ店まで行くかしないとわからなかった。
【０００６】
あるいは、カラオケ店が独自に顧客獲得のための策として新曲情報を利用客に知らせることも考えられる。例えば、カラオケを利用した客に住所、氏名等の個人情報を知らせてもらい、新曲が入ったときには、ハガキなどによって利用客に知らせるものである。しかし、利用客にとっては、カラオケ店に住所氏名等の個人情報を知らせるのは好ましくないと考える人もいると思われる。又、カラオケ店にとっても、多数集まった個人情報を整理保管することは非常に煩雑な作業であり、頻繁に入力される新曲入力のたびに、ハガキを書き発送することは費用もかかり、手間もかかりすぎるため、現実的でない。
【０００７】
本発明は前記従来における問題点を解消するためになされたものであり、カラオケ装置に利用客のＦＡＸナンバーあるいは、メールアドレスを記憶させておくことにより、新曲が入力されたときに自動的に利用客に新曲情報を送信することが可能なカラオケ装置を提供することを目的とする。
【０００８】
【課題を解決するための手段】
前記目的を達成するため請求項１に係るカラオケ装置は、顧客の希望によりカラオケ曲の演奏を行なうカラオケ装置において、顧客情報を記憶する顧客情報記憶手段と、新たに入力した新曲データから新曲案内を作成する案内作成手段と、新曲データを入力したとき、前記顧客情報記憶手段が記憶する顧客に前記案内作成手段が作成した新曲案内を送信する案内送信手段とを備えた構成を有する。
【０００９】
請求項１のカラオケ装置では、新曲データが入力された際には、案内作成手段が入力された新曲データから新曲案内を作成する。さらに、作成された新曲案内を、顧客情報記憶手段が記憶する顧客に対し、案内送信手段が送信する。これにより、新曲が入力されたときに、自動的に利用客に新曲情報を送信することが可能となる。
【００１０】
また、請求項２に係るカラオケ装置は、請求項１のカラオケ装置において、前記案内送信手段は、前記顧客情報記憶手段が記憶する顧客情報に送信停止情報を入力してあるとき、該顧客には新曲案内を送信しない案内送信停止手段を包含することを特徴とする。請求項２のカラオケ装置では、顧客情報に送信停止情報を入力してある時、案内送信停止手段が新曲案内送信を停止するので、新曲案内を必要としない顧客に対し不要な情報を送信することなく、新曲案内が必要な顧客のみに自動的に新曲案内を送信することが可能となる。
【００１１】
更に、請求項３に係るカラオケ装置は、請求項１のカラオケ装置において、前記顧客情報記憶手段が記憶する顧客情報が、顧客のＦＡＸ番号またはインターネット等の通信ネットワークのメールアドレスであり、前記案内送信手段の送信方法がＦＡＸ送信またはメール送信であることを特徴とする。請求項３のカラオケ装置では、顧客のＦＡＸ番号またはインターネット等の通信ネットワークのメールアドレスを顧客情報として顧客情報記憶手段が記憶して、案内送信手段がＦＡＸ送信またはメール送信により案内送信を行うので、顧客の詳細な個人情報を得る必要がなく、案内送信を自動的に極めて簡単に行うことが可能となる。
【００１２】
更に、請求項４に係るカラオケ装置は、請求項１のカラオケ装置において、前記顧客情報記憶手段が記憶する顧客情報が、顧客の希望するカラオケ曲のジャンル情報を含み、入力した新曲データが該ジャンルの曲であるときに限り前記案内送信手段が新曲案内を送信することを特徴とする。請求項４のカラオケ装置では、顧客情報に顧客の希望するカラオケ曲のジャンルを含み、入力した新曲が希望ジャンルである顧客にのみ新曲案内を送信するので、顧客にとって不要な情報を送信することなく、希望ジャンルの新曲案内のみを極めて簡単に送信することが可能となる。
【００１３】
また、請求項５に係るカラオケ装置は、請求項１のカラオケ装置において、前記カラオケ装置がカラオケ通信センターと通信回線で接続されて定期的に新曲データを配信される通信カラオケ装置であることを特徴とする。請求項５のカラオケ装置では、新曲データがカラオケ通信センターから定期的に配信される通信カラオケ装置であるので、新曲が配信されたときに、自動的に新曲案内を作成し顧客に送信することが可能となる。
【００１４】
【発明の実施の形態】
以下、本発明に係るカラオケ装置について、本発明を具体化した実施形態に基づき図面を参照しつつ詳細に説明する。まず、本実施形態に係るカラオケ装置の概略構成について図１に基づき説明する。図１は、カラオケ装置の概略構成を示すブロック図である。なおここでは、通信カラオケシステムの端末であるカラオケ装置とし、顧客への情報送信はＦＡＸ送信を利用する場合について説明する。通信ネットワークのメール通信を利用する場合においても同様に行うことができる。
【００１５】
図１において、カラオケ装置１は、中央制御装置１０を中心に構成され、通信制御装置１１が、公衆通信網４０を介してカラオケ曲配信センター３０及びユーザＦＡＸ５０と通信を行なう。更に、中央制御装置１０には、カラオケ曲データ、ユーザ情報、各種動作プログラム等を格納するハードディスク１２、カラオケ装置１が現在演奏中の曲番号、演奏モード等、カラオケ装置１の状態を管理者に知らせるための操作表示パネル１４、カラオケ装置１に対し各種指示、ユーザ情報の登録等を管理者が行うための多目的入力キー１５が接続されている。
【００１６】
又、カラオケ装置１には、利用者がカラオケ演奏を利用する際に予約状況、歌詞等を表示するためのテレビモニタ２０、カラオケ音声を出力するためのスピーカ２１が接続される。ここに、中央制御装置１０には、テレビモニタ２０に予約状況やカラオケ曲の歌詞データと背景映像とを合成して出力するための画面表示制御装置１６がテレビモニタ２０との間に接続され、カラオケ曲データをアナログ演奏信号に変換する演奏再生回路１８、カラオケ曲演奏と利用者の歌声を合成し出力するミキサアンプ１９がスピーカ２１との間に接続されている。
【００１７】
次に、前記のように構成されたカラオケ装置１において、カラオケ曲配信センター３０から新曲が配信されたとき、ユーザＦＡＸ５０に新曲情報を送信する動作について図２に基づき説明する。図２はカラオケ曲配信センターからの新曲配信に対応して、新曲情報を作成し、ユーザＦＡＸ５０に送信する新曲情報送信プログラムのフローチャートである。
【００１８】
図２において、利用者に新曲情報を送信する際、カラオケ装置１は動作開始と共にまずステップ（以下、Ｓと略記する）１において、カラオケ曲演奏状態となる。すなわち、通常の営業状態であり、利用者の希望にしたがい、カラオケ曲の予約、演奏等が行われる。
【００１９】
次に、新曲が配信されたかどうかを判断する（Ｓ２）。カラオケ装置１では、毎日決まった時間にカラオケ曲配信センター３０より公衆通信網４０を介して新曲データが配信されるのが普通である。新曲配信はカラオケ演奏と並行して行なわれ、１日分の新曲がまとめて配信される。新曲が配信されていない場合は（Ｓ２：ＮＯ）、曲演奏を続ける（Ｓ１）。一方、新曲が配信されたと判断された場合は（Ｓ２：ＹＥＳ）、以下の新曲情報送信動作を曲演奏と並行して行なう。
【００２０】
まず、受信した新曲データから、曲案内情報を含むヘッダを取り出し、新曲情報を作成する（Ｓ３）。一般に、カラオケ曲データにはヘッダとして、図３に例示するような内容のデータが付加されている。これを用いて、利用者に読みやすく表示した新曲情報を作成することができる。また、ヘッダの中から、ジャンル情報を取り出すことにより、この曲のジャンルがわかる。カラオケ曲では、ジャンルとして、歌謡曲、ニューミュージック、演歌、デュエット等に分けられている。
【００２１】
次に、ユーザ情報を一人分読み出す（Ｓ４）。ここで、図４にユーザ情報の例を示す。図４において、ユーザ情報のうち欄Ａはユーザ番号である。欄Ｂはユーザの氏名であり、ユーザの希望により空欄にすることもできる。欄ＣはユーザのＦＡＸ番号である。欄Ｄはユーザの希望ジャンルである。新曲情報が欲しいジャンルのみを登録できることにより、不要なＦＡＸを大量に受信してしまうことが無い。最後に欄Ｅは情報送信停止希望欄である。即ち、新曲情報が全く必要ない、あるいは、しばらく留守にする等の理由により、新曲情報を送信して欲しくないユーザには＜停止希望＞が記入される。
【００２２】
Ｓ４で図４に示したユーザ情報を一人分読み出した後、入力した新曲のジャンル情報とユーザの希望ジャンルとを比較する（Ｓ５）。受信した新曲のジャンルが、ユーザの希望ジャンルに含まれていない場合は（Ｓ５：ＮＯ）、このユーザには新曲情報を送信する必要が無いので、次のユーザ情報があるかチェックする（Ｓ８）。また、新曲のジャンルがユーザの希望ジャンルに含まれている場合は（Ｓ５：ＹＥＳ）、送信停止希望が＜停止希望＞であるかどうか判断する（Ｓ６）。送信停止希望が＜停止希望＞であれば（Ｓ６：ＹＥＳ）、このユーザには新曲情報を送信する必要が無いので、次のユーザ情報があるかチェックする（Ｓ８）。送信停止希望が＜停止希望＞でなければ（Ｓ６：ＮＯ）、このユーザに新曲情報を送信する（Ｓ７）。
【００２３】
続いて、すべてのユーザのユーザ情報を読み出したかを判断する（Ｓ８）。まだ、読み出していないユーザ情報があれば（Ｓ８：ＮＯ）、新たにユーザ情報を読み出し、Ｓ４からＳ７を繰り返すことにより必要であれば新曲情報を送信する。全てのユーザに新曲情報を送信し終わったら（Ｓ８：ＹＥＳ）、はじめのカラオケ曲の演奏に戻る（Ｓ１）。
【００２４】
以上詳細に説明した通り本実施形態のカラオケ装置では、受信したカラオケ曲のヘッダを用いて新曲案内情報を作成し、ハードディスク１２に記憶するユーザ情報のＦＡＸ番号へ自動的に新曲案内情報をＦＡＸ送信することができる。更に、ユーザ情報に希望ジャンル、送信停止希望情報を含むので、ユーザにとって不要な情報を大量に送信することなく、必要な新曲情報のみを送信するので、ユーザはカラオケ店に来店しなくても希望するジャンルの新曲情報を受信することができる。
【００２５】
尚、本発明は上記実施の形態に限定されるものでなく、その趣旨を逸脱しない範囲で様々な変更が可能である。例えば、ここでは、新曲配信時のヘッダを用いて新曲情報を自動的に作成し、ユーザに送信するとしたが、カラオケ店において独自に新曲情報を作成し、ユーザに送信することもできる。又、ここでは、ユーザにより希望ジャンルが登録される場合について説明したが、カラオケ店で今までに歌った歌のジャンルを記憶しておき、そのジャンルをユーザの希望ジャンルとすることもできる。
【００２６】
【発明の効果】
以上説明した通り請求項１のカラオケ装置では、新曲データが入力された際には、案内作成手段が入力された新曲データから新曲案内を作成する。さらに、作成された新曲案内を、顧客情報記憶手段が記憶する顧客に対し、案内送信手段が送信する。これにより、新曲が入力されたときに、自動的に利用客に新曲情報を送信することができる。
【００２７】
また、請求項２のカラオケ装置では、顧客情報に送信停止情報を入力してある時、案内送信停止手段が新曲案内送信を停止するので、新曲案内を必要としない顧客に対し不要な情報を送信することなく、新曲案内が必要な顧客のみに自動的に新曲案内を送信することができる。
【００２８】
更に、請求項３のカラオケ装置では、顧客のＦＡＸ番号またはインターネット等の通信ネットワークのメールアドレスを顧客情報として顧客情報記憶手段が記憶して、案内送信手段がＦＡＸ送信またはメール送信により案内送信を行うので、顧客の詳細な個人情報を得る必要がなく、案内送信を自動的に極めて簡単に行うことができる。
【００２９】
更に、請求項４のカラオケ装置では、顧客情報に顧客の希望するカラオケ曲のジャンルを含み、入力した新曲が希望ジャンルである顧客にのみ新曲案内を送信するので、顧客にとって不要な情報を送信することなく、希望ジャンルの新曲案内のみを極めて簡単に送信することができる。
【００３０】
また、請求項５のカラオケ装置では、新曲データがカラオケ通信センターから定期的に配信される通信カラオケ装置であるので、新曲が配信されたときに、自動的に新曲案内を作成し顧客に送信することができる。
【００３１】
以上の通り本発明は、カラオケ装置に利用客のＦＡＸナンバーあるいは、メールアドレスを記憶させておくことにより、新曲が入力されたときに自動的に利用客に新曲情報を送信することが可能なカラオケ装置を提供することができる。
【図面の簡単な説明】
【図１】本発明のカラオケ装置の概略ブロック図である。
【図２】本発明のカラオケ装置の動作を示すフローチャートである。
【図３】カラオケ曲のヘッダの例である。
【図４】ユーザ情報の例である。
【符号の説明】
１  カラオケ装置
１０  中央制御装置
１１  通信制御装置
１２  ハードディスク
３０  カラオケ曲配信センター
４０  公衆通信網
５０  ユーザＦＡＸ
【図１】
0003916286.tif 000002
【図２】
0003916286.tif 000003
【図３】
0003916286.tif 000004
【図４】
0003916286.tif 000005